(57)【特許請求の範囲】
【請求項１】
Ｌ型金具の両板片部に取付用切欠を設けるとともに、両板片部のうちの少なくとも一方の内面にストッパ部を突設した機器取付金具本体と、前記取付用切欠に挿通可能なねじ軸が外面に設けられている取付片部に押さえ片部を連設してある機器押さえ金具と、前記取付用切欠に挿通されるねじ軸に螺合されて機器押さえ金具を機器取付金具本体の一方の板片部に圧接固定する締付具とよりなることを特徴とする機器取付金具。
【発明の詳細な説明】
【０００１】
【発明の属する技術分野】
本発明は、制御盤や通信盤等の電気電子機器をキャビネット内の被取付部材へ取り付けるための機器取付金具に関するものである。
【０００２】
【従来の技術】
例えば、制御盤や通信盤等の電気電子機器を収納するキャビネットには、ユニット化された機器が組み込まれて相互に配線がなされているが、ユニット化された機器はキャビネット内の被取付部材に機器取付金具により取り付けられている。ところが、従来一般的に使用されていた機器取付金具は、例えば図１０に示すような形状で、平面形状がＬ字状であって、その立ち上がり片部２１ａに縦スリット２３が設けられている機器取付金具本体２１と、前記立ち上がり片部２１ａの内面に添う取付片部に押さえ片部を連設した機器押さえ金具２２と、前記した縦スリット２３にねじ軸を挿通させて機器押さえ金具２２を所要位置で締付けできる締付部材２４とよりなるものとされている。そして、この機器取付金具は、機器の対角点などに配置されるようにキャビネット内の被取付部材に取り付けられて、機器を機器取付金具本体２１のＬ字状の頂点で位置決めして機器押さえ金具２２によって固定されることとなるが、一方の対角点に取り付ける機器取り付け金具と他方の対角点に取り付ける機器取付金具とは対称な形状とする必要があり、そのために機器取付金具は対称形状の２種類を用意して使い分けをする必要があった。
【０００３】
また、機器側面に設けられた通線口が機器取付金具本体の長辺側になっている場合には、機器取付金具本体が通線口を塞がないようにする必要があり、こうした場合にも別の形状の機器取付金具を用意しなければならなかった。従って、製造事業者においては２種類の機器取付金具を製造するための２種類の金型が必要となって設備費用ならびに管理費用が嵩み、流通事業者及び機器取付金具を使用して制御盤や通信盤等を製作する製造事業者においても２種類の機器取付金具を在庫するための管理費用が嵩むという問題があった。
【０００４】
【発明が解決しようとする課題】
本発明は上記の問題点を解決して、１種類の機器取付金具で機器の全ての角の取り付けができ、製造時の設備費用、管理費用、流通時及び使用者の管理費用を削減することができる機器取付金具を提供するためになされたものである。
【０００５】
【課題を解決するための手段】
上記の課題を解決するためになされた本発明の機器取付金具は、Ｌ型金具の両板片部に取付用切欠を設けるとともに、両板片部のうちの少なくとも一方の内面にストッパ部を突設した機器取付金具本体と、前記取付用切欠に挿通可能なねじ軸が外面に設けられている取付片部に押さえ片部を連設してある機器押さえ金具と、前記取付用切欠に挿通されるねじ軸に螺合されて機器押さえ金具を機器取付金具本体の一方の板片部に圧接固定する締付具とよりなることを特徴とするものである。
【０００６】
【発明の実施の形態】
次に、本発明の実施の形態について図を参照しながら具体的に説明する。
図１及び図２は本発明の好ましい実施例を示すもので、１は機器取付金具本体、２は機器押さえ金具、１１は締付具であって、この機器取付金具本体１と機器押さえ金具２と締付具１１とを組み合わせて本発明の機器取付金具は構成されている。
【０００７】
機器取付金具本体１は、図３、図４に示すように、金属板を折曲線１ａにおいて９０度の角度で折曲成形した所要長さのＬ型金具の両板片部１ｂ、１ｃに、この板片部１ｂ、１ｃの境界線である前記した折曲線１ａと交叉する方向（実施例では直交する方向）に延びる長孔状をした取付用切欠３ｂ、３ｃを設けるとともに、前記した板片部１ｂ、１ｃのいずれか一方または双方の内面にストッパ部４ｂ、４ｃを打抜きにより突設し、さらに、両板片部１ｂ、１ｃにはこの機器取付金具本体１をキャビネット内などに設けられている被取付部材へ取り付けるための長孔状のねじ止め孔７ｂ、７ｃを設けてある。なお、前記した取付用切欠３ｂ、３ｃは単なる長孔でもよいが、実施例ではその一端が屈曲部５ｂ、５ｃを介して板片部１ｂ、１ｃの端縁に設けた開口６ｂ、６ｃに連通させたものとしてある。また、取付用切欠３ｂ、３ｃの形状は必ずしも図示例のような長孔状とする必要はなく、例えば、取り付ける機器が決まっている場合など機器の高さが一定であるときには高さ位置を調節する必要がないので取付用切欠３ｂ、３ｃを長孔状とすることはない。
【０００８】
一方、前記した機器押さえ金具２は、機器取付金具本体１より小さな金属板を９０度の角度で折り曲げて成形したＬ形金具の立ち上がり片に相当する部分を取付片部８としてこの取付片部８に略直角の角度で連設された部分を押さえ片部９としたものであるが、前記した取付片部８の外面には前記取付用切欠３ｂ、３ｃに挿通可能な雄ねじ部付きのねじ軸１０が突設されたものとしてあり、また、前記した締付具１１は、前記取付用切欠３ｂ、３ｃに挿通されたねじ軸１０に螺合されて機器押さえ金具２を機器取付金具本体１の一方の板片部に圧接固定するためのものであって、例えばローレット付きの握り部に前記ねじ軸１０の雄ねじ部に対応する雌ねじ部が形成されたものとしてある。
【０００９】
なお、前記した他方の板片部１ｃに設けられた押さえ金具取り付け孔３ｃ、ストッパ部４ｃ、屈曲部５ｃ、開口６ｃ及びねじ止め孔７ｃは、一方の板片部１ｂに設けた取付用切欠３ｂ、ストッパ部４ｂ、屈曲部５ｂ、開口６ｂ及びねじ止め孔７ｂと折り曲げ線１ａを基準にして対称に配置してあり、折曲線１ａで機器取付金具本体１をさらに折り曲げて一方の板片部１ｂと他方の板片部１ｃとを接する状態にしたと仮定すると相互に重なる形状とされている。
【００１０】
このように構成されたものは、先ず、機器取付金具本体１の２個を取り付けようとする機器の一方の対角点に配置し、ねじ止め孔７ｃに挿通したねじにより機器取付金具本体１を他方の板片部１ｃをもってキャビネットの被取付部材に固定する。次に、被取付部材に固定された機器取付金具本体１の上に取り付けようとする機器を置くと、機器は一方の板片部１ｂとストッパ部４ｂとによって水平方向の位置が規制されるから、続いて、一方の板片部１ｂの内側から取付用切欠３ｂに機器押さえ金具２のねじ棒１０を挿通し、その先端に締付具１１を螺合してこれに締付操作を加えれば、機器押さえ金具２はその押さえ片部９が機器を押えた状態で取付片部８が機器取付金具本体１の一方の板片部１ｂに圧接固定され、これと同時に機器は固定されることになる。また、機器取付金具本体１と機器押さえ金具２と締付具１１により機器を固定してからねじ止め孔７ｃに挿通したねじによりキャビネット内の被取付部材に固定するようにしてもよい。
【００１１】
なお、機器が小形のものや軽量のものの場合には一方の対角点を前記したようにして２組の機器取付金具で固定するだけで充分であるが、小形、軽量でない場合には、他方の対角点も固定する必要がある。このように他方の対角点に取り付ける場合には、更に２組の機器取付金具を用意し、機器取付金具本体１の２個を機器の他方の対角点に配置してねじ止め孔７ｂに挿通したねじにより機器取付金具本体１の一方の板片部１ｂをキャビネットに固定する前記したような操作で機器を固定する。このとき機器は他方の対角点に配置した機器取付金具本体１の他方の板片部１ｃとストッパ部４ｃによっても水平方向の位置が規制された状態で固定されることとなり、図９に示すように他の対角点でも機器が固定されることになる。
【００１２】
このように機器取付金具本体１の両板片部１ｂ、１ｃのいずれかをキャビネット内の被取付部材に取り付けることにより、１種類の機器取付金具で機器の４角を取り付けることができることとなるが、図９に示す状態で機器の通線口が機器の長辺端部に設けられている場合には垂直となっている一方の板片部１ｂまたは他方の板片部１ｃのいずれかに塞がれることになるが、このような場合には機器取付金具本体１を水平面で９０度回転して用いれば通線口を通しての配線に支障が起こることはない。
【００１３】
また、前記実施の形態のものにおいては、取付用切欠３ｂ、３ｃが屈曲部５ｂ、５ｃを介して開口６ｂ、６ｃに連通させてあり、締付具１１による締付けを少し緩めた状態とすることによりねじ棒１０は取付用切欠３ｂ、３ｃのいずれかから屈曲部５ｂ、５ｃのいずれかを通って開口６ｂ、６ｃのいずれかに抜けて機器押さえ金具２を機器取付金具本体１から離脱させることができる。このため、機器取付金具本体１をキャビネットに取り付けるときや機器取付金具本体１上に機器を置く時に機器押さえ金具２が邪魔とならないように機器押さえ金具２を容易に取り外しておくことができ、また、機器取付金具本体１に機器押さえ金具２を取り付ける際にもねじ棒１０から締付具１１を外すことなく開口６ｂ、６ｃのいずれかから屈曲部５ｂ、５ｃのいずれかを通してねじ棒１０を取付用切欠３ｂ、３ｃのいずれかに移動させることができ、また、締付具１１をねじ棒１０から取り外す必要がないことにより締付具１１を紛失する恐れがなくなり、さらに、流通時、在庫保管時においても機器取付金具本体１に機器押さえ金具２を取り付けた状態としておくことができるので、管理コストを削減することができるなどの利点がある。
【００１４】
【発明の効果】
以上説明した本発明によれば、１種類の機器取付金具で機器の全ての角の取り付けができて使用上便利なばかりでなく、製造時の設備費用、管理費用、流通時及び使用者の管理費用を削減することができて経済的であり、しかも、通線口を塞がないようにすることもできるなど多くの利点がある。
従って、本発明は従来の問題を全て解決した機器取付金具として業界に寄与するところ極めて大である。
【図面の簡単な説明】
【図１】本発明の実施の形態を示す斜視図である。
【図２】本発明の実施の形態を示す図であって、ａは平面図、ｂは正面図、ｃは側面図である。
【図３】機器取付金具本体の斜視図である。
【図４】機器取付金具本体を示す図であって、ａは平面図、ｂは正面図、ｃは側面図である。
【図５】機器押さえ金具の斜視図である。
【図６】機器押さえ金具を示す図であって、ａは平面図、ｂは正面図、ｃは側面図である。
【図７】図１とは別の方向から見た斜視図である。
【図８】別の組み立て方をした場合の斜視図である。
【図９】機器を取り付けた状態を示す平面図である。
【図１０】従来の機器取付金具の１例を示す斜視図である。
【符号の説明】
１          機器取付金具本体
１ｂ        一方の板片部
１ｃ        他方の板片部
２          機器押さえ金具
３ｂ、３ｃ  取付用切欠
４ｂ、４ｃ  ストッパ部
８          取付片部
９          押さえ片部
１１        締付具
【図１】
0003913101.tif 000002
【図２】
0003913101.tif 000003
【図３】
0003913101.tif 000004
【図４】
0003913101.tif 000005
【図５】
0003913101.tif 000006
【図６】
0003913101.tif 000007
【図７】
0003913101.tif 000008
【図８】
0003913101.tif 000009
【図９】
0003913101.tif 000010
【図１０】
0003913101.tif 000011